(57)【要約】【課題】構造が簡単であって、作業性に優れ、しかも使用中にカバーが前後方向にずれるおそれのない、管継手用カバーの取付構造を提供する。【解決手段】給水管Ｐの末端部と水栓１の水導入口１１とを接続している管継手２を覆うための筒状カバー３が長さ方向に２分割され、管継手２に覆い被さるように２つのカバー分割体３Ａ，３Ｂどうしを結合することにより、カバー分割体３Ａ，３Ｂの内面に形成された第１係合部３１が管継手２または水導入口１１の外面に形成された第２係合部２１に係り止められる。【選択図】  図１
2004353380.tif 000002
【特許請求の範囲】
【請求項１】
壁孔（Ｗ１）を通じて壁（Ｗ）の裏側から露出させられた給水管（Ｐ）の末端部と壁（Ｗ）の表側に配された水栓（１）の水導入口（１１）とを接続している管継手（２）を覆うための筒状カバー（３）が長さ方向に２分割され、管継手（２）に覆い被さるように２つのカバー分割体（３Ａ）（３Ｂ）どうしを結合することにより、一方または両方のカバー分割体（３Ａ）（３Ｂ）の内面に形成された第１係合部（３１）が管継手（２）または水導入口（１１）の外面に形成された第２係合部（２１）に係り止められることを特徴とする、管継手用カバーの取付構造。
【請求項２】
第１係合部（３１）および第２係合部（２１）が、互いに噛み合わせうるセレーション（３７）（２２１）（３９１）（２４）によって構成されていることを特徴とする、請求項１記載の管継手用カバーの取付構造。
【請求項３】
第１係合部（３１）が、一方または両方のカバー分割体（３Ａ）（３Ｂ）の前端部の内面に形成され、第２係合部（２１）が、管継手（２）の前端部および水導入口（１１）のうち一方に回転自在に備えられた袋ナット（２２）の外面に形成されていることを特徴とする、請求項１または２記載の管継手用カバーの取付構造。
【請求項４】
第１係合部（３１）が、一方または両方のカバー分割体（３Ａ）の長さ中間部の内面に形成され、第２係合部（２１）が、管継手（２）の長さ中間部の外面に形成されていることを特徴とする、請求項１または２記載の管継手用カバーの取付構造。
【請求項５】
管継手（２）に覆い被さるように２つのカバー分割体（３Ａ）（３Ｂ）どうしを結合することにより、さらに、少なくとも一方のカバー分割体（３Ｂ）の内面に備えられたバネ（４）が、管継手（２）または水導入口（１１）の外面に弾力的に接触させられることを特徴とする、請求項１〜４のいずれか１つに記載の管継手用カバーの取付構造。
【発明の詳細な説明】
【０００１】
【発明の属する技術分野】
本発明は、管継手用カバーの取付構造、より詳細には、壁孔を通じて壁の裏側から露出させられた給水管の末端部と壁の表側に配された水栓の水導入口とを接続している管継手を覆うためのカバーの取付構造に関する。
【０００２】
【従来の技術】
例えば、浴室等の壁面に混合水栓等の水栓を取り付ける場合、水栓の水導入口を、壁の裏側に配された給水管の末端部に、壁孔を通じて、管継手により接続することが一般に行われている。
【０００３】
但し、このような管継手が露出していると、水栓としての外観が損なわれる場合があるため、該管継手を合成樹脂等のカバーで被覆することが従来より行われている。
【０００４】
この種のカバーの取付構造としては、管継手の外面に形成された雄ネジ部に雌ネジ付き環状フランジが前後方向にネジ送り可能に嵌められ、該フランジと壁面とによって、カバーの内面に形成された突起部が挟み付けられるものが知られている（下記特許文献１参照）。
【０００５】
また、その他の管継手用カバーの取付構造として、カバーの内面に形成された爪部が、管継手の外面に前後方向に形成された溝にスライド可能に係合させられるものが知られている（下記特許文献２参照）。
【０００６】
【特許文献１】
特開２００３−５６０２３号公報（特許請求の範囲、図面等）
【特許文献２】
特開２００３−６４７３８号公報（特許請求の範囲、図面等）
【０００７】
【発明が解決しようとする課題】
しかしながら、前者の管継手用カバーの取付構造の場合、カバーや管継手の構造が複雑となる上、フランジのネジ送りによるカバーの固定作業が面倒であって、作業性に劣るという問題があった。
【０００８】
また、後者の管継手用カバーの取付構造の場合、施工誤差を吸収しうるように、カバーが前後方向にスライド可能となされているが、完全に固定されていないため、水栓の使用中にカバーが前後方向にずれるおそれがあった。
【０００９】
本発明は、上記の問題点に鑑みてなされたものであって、構造が簡単であって、作業性に優れ、しかも使用中にカバーが前後方向にずれるおそれのない、管継手用カバーの取付構造を提供することを目的としている。
【００１０】
【課題を解決するための手段および発明の効果】
本発明による管継手用カバーの取付構造は、壁孔を通じて壁の裏側から露出させられた給水管の末端部と壁の表側に配された水栓の水導入口とを接続している管継手を覆うための筒状カバーが長さ方向に２分割され、管継手に覆い被さるように２つのカバー分割体どうしを結合することにより、一方または両方のカバー分割体の内面に形成された第１係合部が管継手または水導入口の外面に形成された第２係合部に係り止められることを特徴とするものである。
【００１１】
上記の取付構造によれば、２つのカバー分割体どうしを結合することにより、第１係合部が第２係合部に係り止められ、それによって、カバーが管継手または水導入口に前後移動不能に取り付けられる。したがって、本発明の管継手用カバーの取付構造によれば、カバーや管継手の構造を簡素化することができ、カバーの取付作業を簡単に効率良く行うことができ、しかも使用中にカバーが前後方向にずれるおそれがない。
【００１２】
本発明による管継手用カバーの取付構造において、第１係合部および第２係合部が、互いに噛み合わせうるセレーションによって構成されているのが好ましい。
【００１３】
両係合部がセレーションによって構成されていれば、壁面からの管継手の突出長さについて施工誤差が生じた場合でも、セレーションの噛み合わせ位置を調整することによって、カバーを支障なく管継手または水栓の水導入口に取り付けることができる。なお、上記のようなセレーションに代えて、第１係合部および第２係合部のうちいずれか一方を１つまたは前後方向に等間隔おきに並ぶ複数の係合凸部によって構成し、同他方を前後方向に等間隔おきに並ぶ複数のまたは１つの係合凹部によって構成してもよく、この場合にも、同様にして前記施工誤差を吸収することが可能である。
【００１４】
本発明による管継手用カバーの取付構造において、第１係合部が、一方または両方のカバー分割体の前端部の内面に形成され、第２係合部が、管継手の前端部および水導入口のうち一方に回転自在に備えられた袋ナットの外面に形成されている場合がある。
【００１５】
また、本発明による管継手用カバーの取付構造において、第１係合部が、一方または両方のカバー分割体の長さ中間部の内面に形成され、第２係合部が、管継手の長さ中間部の外面に形成されている場合もある。
【００１６】
本発明による管継手用カバーの取付構造において、より好ましくは、管継手に覆い被さるように２つのカバー分割体どうしを結合することにより、さらに、少なくとも一方のカバー分割体の内面に備えられたバネが、管継手または水導入口の外面に弾力的に接触させられる。
【００１７】
上記構成によれば、バネの作用によって、使用時のカバーのガタツキを効果的に抑えることができる。
【００１８】
【発明の実施の形態】
図１〜３は、本発明の第１の実施形態を示すものである。
【００１９】
図１において、浴室等の壁（Ｗ）の裏側に、湯用および水用の２本の給水管（Ｐ）が垂直に配されている。給水管（Ｐ）の末端部は、前端部に雌ネジ（Ｐ１１）を有するエルボ（Ｐ１）によって構成されており、壁孔（Ｗ１）を通じて壁（Ｗ）の表側に露出させられている。
【００２０】
混合水栓（１）はサーモスタット式のものであって、その水栓本体（１０）には、湯側および水側の２つの水導入口（１１）が後方突出状に形成されている。水導入口（１１）には、雄ネジ（１１１）が形成されている（図４参照）。
【００２１】
給水管（Ｐ）の末端部と混合水栓（Ｖ）の水導入口（１１）とは、管継手（２）によって接続されている。
【００２２】
管継手（２）は、筒状のカバー（３）によって覆われている。カバー（３）は、長さ方向に２分割されており、管継手（２）に覆い被さるように２つのカバー分割体（３Ａ）（３Ｂ）どうしを結合することにより、両方のカバー分割体（３Ａ）（３Ｂ）の内面に形成された第１係合部（３１）が管継手（２）の外面に形成された第２係合部（２１）に係り止められるとともに、一方のカバー分割体（３Ｂ）の内面に備えられたバネ（４）が管継手（２）の外面に弾力的に接触させられるようになっている。
【００２３】
管継手（２）は、図１〜３に示すような短いクランク状のものであって、通常、銅鋳物によって形成されている。管継手（２）の後端部には雄ネジ（２５）が形成されている。管継手（２）の前端部には、水導入口（１１）にねじ嵌めうる袋ナット（２２）が、回転自在に設けられている。また、管継手（２）には、止水栓（２３）が備えられており、止水栓（２３）の操作部（２３１）が、管継手（２）の下部から突出させられている。袋ナット（２２）の外周面にはセレーション（２２１）が形成されており、このセレーション（２２１）が第２係合部（２１）を構成している。なお、この実施形態では、管継手（２）の前端部に袋ナット（２２）が設けられ、混合水栓（１）の水導入口（１１）に雄ネジが形成されているが、これとは逆に、管継手（２）の前端部に雄ネジが形成され、水導入口（１１）に袋ナットが回転自在に設けられている場合でも、本発明を適用することができる。この場合、水導入口の袋ナットの外面に、前記と同様の第２係合部を形成することができる。
【００２４】
カバー（３）は、図１〜３に示すように、前方に向かって次第に径が小さくなるテーパ筒状のものであって、通常、ＡＢＳ樹脂等の合成樹脂によって形成されている。
【００２５】
カバー（３）は、上下２つに分割されている。上側カバー分割体（３Ａ）は、その前端面が半円形をなし、その後端面が半長円形をなすような形状を有している。下側カバー分割体（３Ｂ）は、その前端面が上側カバー分割体（３Ａ）の前端面と同じ大きさの半円形をなし、その後端面が上側カバー分割体（３Ａ）の後端面よりも小さい半円形をなすような形状を有している。なお、カバーの形状は、図示のものには限定されず、要するに管継手（２）を被覆しうる筒状のものであればよい。また、カバーは、その他の長さ方向、即ち、例えば左右に２分割されていてもよい。
【００２６】
上側カバー分割体（３Ａ）の内面における左右各縁部の長さ中間部分には、若干の弾性を有しかつ先端に外向き係合爪（３２１）を有する前後２つの垂下部（３２）が一体に形成されている。一方、下側カバー分割体（３Ｂ）の内面における左右各縁部の長さ中間部分には、係合爪（３２１）を係止しうる前後２つの係合凹部（３３）が形成されている。また、上側カバー分割体（３Ａ）の左右各縁部の前端寄り部分に、突起（３４）が一体に形成され、下側カバー分割体（３Ｂ）の左右各縁部の前端寄り部分に、突起（３４）を嵌め入れうる有底孔（図示略）が形成されている。さらに、下側カバー分割体（３Ｂ）の内面における左右各縁部の後端部分には、上側カバー分割体（３Ａ）の内面における左右各縁部の後端部分に沿わされる短い立上り部（３６）が一体に形成されている。なお、両カバー分割体（３Ａ）（３Ｂ）どうしの結合手段は、上記には限定されず、その他適宜の構成とすることができる。
【００２７】
両カバー分割体（３Ａ）（３Ｂ）の前端部の内面には、袋ナット（２２）外面のセレーション（２２１）と噛み合うセレーション（３７）が形成されており、該セレーション（３７）が第１係合部（３１）を構成している。各カバー分割体（３Ａ）（３Ｂ）のセレーション（３７）は、その前後幅中間位置において、ピッチが大きくなされている。そして、下側カバー分割体（３Ｂ）のセレーション（３７）の前後幅中間位置に、バネ（４）が配されている。バネ（４）は、図３に示すように、円弧形に曲げられた板バネよりなり、その一端部が下側カバー分割体（３Ｂ）に固定されている。図１に示すように、バネ（４）は、袋ナット（２２）外面の前後幅中間部に弾力的に接触させられ、それによって、使用時のカバー（３）のガタツキが防止される。
【００２８】
下側カバー分割体（３Ｂ）には、止水栓（２３）の操作部（２３１）を露出させるための孔（３８）があけられている。孔（３８）は、円形の大きなものとなされている。下側カバー分割体（３Ｂ）に上記のような孔（３８）を有するカバー（３）は、特に、止水栓から頻繁に水抜きを行う必要のある寒冷地仕様として有利に用いられる。したがって、寒冷地仕様ではない通常のカバーの場合、下側カバー分割体（３Ｂ）として、上記のような孔（３Ｂ）を有しないものを用いることができる。
【００２９】
上記カバー（３）の取付は、例えば次のようにして行うことができる。
即ち、予め分離した上側カバー分割体（３Ａ）および下側カバー分割体（３Ｂ）を、壁面からの管継手（２）の突出長さに応じて位置調節しながら、管継手（２）に上下両側から覆い被さるように合わせる。
【００３０】
すると、上側カバー分割体（３Ａ）の垂下部（３２）の係合爪（３２１）が、下側カバー分割体（３Ｂ）の係合凹部（３３）に係り止められる。また、上側カバー分割体（３Ａ）の突起（３４）が下側カバー分割体（３Ｂ）の有底孔（３５）に嵌め込まれ、さらに、下側カバー分割体（３Ｂ）の立上り部（３６）が上側カバー分割体（３Ａ）の内面に沿わされる。こうして、両カバー分割体（３Ａ）（３Ｂ）どうしが結合される。
【００３１】
そして、両カバー分割体（３Ａ）（３Ｂ）どうしが結合されることによって、両カバー分割体（３Ａ）（３Ｂ）の前端部に形成されたセレーション（３７）（第１係合部（３１））が管継手（２）の前端部に形成されたセレーション（２２１）（第２係合部（２１））に係り止められるとともに、下側カバー分割体（３Ｂ）のバネ（４）が管継手（２）外面に弾力的に接触させられる。なお、セレーション（３７）（２２１）は、少なくともこれらの一部どうしが噛み合っていればよい。こうして、カバー（３）が、管継手（２）に前後移動不能に取り付けられる。
【００３２】
図４は、本発明の第２の実施形態を示すものである。この実施形態による管継手用カバーの取付構造は、以下の点を除いて、図１〜３に示す第１の実施形態と同じである。即ち、この実施形態では、図４に示すように、カバー（３）の前端部（３０）が、管継手（２）の前端部に設けられた袋ナット（２２）全体を被覆しうるように、筒状に延長させられている。言い換えれば、この実施形態のカバー（３）は、管継手（２）の前端部（または水導入口）に設けられた袋ナット（２２）全体を被覆しうるような長さを有するものとなされている。両カバー分割体（３Ａ）（３Ｂ）の前端部（３０１）は、カバー（３）の前端開口を通じて袋ナット（２２）が見えないように、内方に向かって短く折り曲げられている。
【００３３】
図５および６は、本発明の第３の実施形態を示すものである。この実施形態による管継手用カバーの取付構造は、以下の点を除いて、図４に示す第２の実施形態と同じである。即ち、この実施形態では、図５および６に示すように、第１係合部（３１）が上側カバー分割体（３Ａ）の長さ中間部の内面に形成され、第２係合部（２１）が管継手（２）の長さ中間部の外面に形成されている。したがって、両カバー分割体（３Ａ）（３Ｂ）の前端部の内面および袋ナット（２２）の外面には、セレーションは形成されていない。上側カバー分割体（３Ａ）の長さ中間部の内面には、管継手（２）の長さ中間部を左右両側から挟むように、左右２つの垂下壁部（３９）が一体に形成されている。両垂下壁部（３９）の内面にはセレーション（３９１）が形成されており、これらのセレーション（３９１）が第１係合部（３１）を構成している。管継手（２）の長さ中間部の左右両側面には、垂下壁部（３９）のセレーション（３９１）と噛み合うセレーション（２４）が形成されており、これらのセレーション（３９１）が第２係合部（２１）を構成している。
【図面の簡単な説明】
【図１】本発明による管継手用カバーの取付構造の第１の実施形態を示す側面図である。
【図２】管継手およびカバーを分解して示す垂直縦断面図である。
【図３】管継手およびカバーを分解して示す背面図である。
【図４】本発明による管継手用カバーの取付構造の第２の実施形態を示す垂直縦断面図である。
【図５】本発明による管継手用カバーの取付構造の第２の実施形態を示す垂直縦断面図である。
【図６】図５のＶＩ−ＶＩ線に沿う断面図である。
【符号の説明】
（Ｗ）：壁
（Ｗ１）：壁孔
（Ｐ）：給水管
（１）：混合水栓
（１１）：水導入口
（２）：管継手
（２１）：第２係合部
（２２）：袋ナット
（２２１）：セレーション
（２４）：セレーション
（３）：カバー
（３Ａ）：上側カバー分割体
（３Ｂ）：下側カバー分割体
（３１）：第１係合部
（３７）：セレーション
（３９）：垂下壁部
（３９１）：セレーション
（４）：バネ
【図１】
2004353380.tif 000003
【図２】
2004353380.tif 000004
【図３】
2004353380.tif 000005
【図４】
2004353380.tif 000006
【図５】
2004353380.tif 000007
【図６】
2004353380.tif 000008